(57)【要約】【課題】本発明は、残滓の捨て忘れ、残菜フィルタの掃除忘れが生じ難い食器洗浄機を提供することを目的とする。また、本発明は、併せて洗剤供給装置に洗剤が残らない食器洗浄機を提供することにある。【解決手段】本発明は、洗浄室の底側から洗浄ポンプに至る吸い込み路を流れる洗浄水より残滓を捕集する残菜フィルタと洗剤供給を兼ねた残菜フィルタ兼洗剤供給装置を備え、残菜フィルタ兼洗剤供給装置のフィルタは、扉を開いた際に見えるところに配置され、かつ残菜フィルタ兼洗剤供給装置は扉の下方の洗浄機本体前面に出し入れ自在に装着されることを特徴とする。【選択図】図２
2007143574.tif 000002
【特許請求の範囲】
【請求項１】
洗浄室を内置する洗浄機本体と、前記洗浄室内に着脱自在に置かれ、食器を載置する食器かごと、洗浄水を前記洗浄室内に噴射する回転ノズル体と、前記回転ノズル体に洗浄水を供給する洗浄ポンプと、前記洗浄室の底側に設けられ、洗浄水を加熱するヒータと、前記洗浄室の前側を覆う開閉自在なる扉とを有し、
前記洗浄室の底側から前記洗浄ポンプに至る吸い込み路を流れる洗浄水より残菜を捕集する残菜フィルタと洗剤供給を兼ねた残菜フィルタ兼洗剤供給装置を備え、
前記残菜フィルタ兼洗剤供給装置のフィルタ部は、前記扉を開いた際に見えるところに配置され、かつ残菜フィルタ兼洗剤供給装置は前記扉の下方の前記洗浄機本体前面に出し入れ自在に装着されることを特徴とする食器洗浄機。
【請求項２】
請求項１記載の食器洗浄機において、
前記残菜フィルタ兼洗剤供給装置のフィルタ部は、上下二重のフィルタを有し、上側フィルタは目が粗く、上側フィルタは目が上側フィルタよりも細かいことを特徴とする食器洗浄機。
【請求項３】
請求項１記載の食器洗浄機において、
前記残菜フィルタ兼洗剤供給装置の装着の有無を検知するフィルタ検知手段と、装着された前記残菜フィルタ兼洗剤供給装置が外れないように拘束するフィルタロック手段と、前記吸い込み路の水の有無を検知する水位検知手段とを設けたことを特徴とする食器洗浄機。
【請求項４】
請求項３記載の食器洗浄機において、
前記水位検知手段が水の有を検知しているときは、前記フィルタロック手段の拘束が解除されないことを特徴とする食器洗浄機。
【請求項５】
請求項３記載の食器洗浄機において、
前記フィルタ検知手段が装着の無を検知しているときは、給水を含む食器洗浄機の運転を停止したことを特徴とする食器洗浄機。
【請求項６】
請求項３記載の食器洗浄機において、
前記フィルタロック手段は、通電が行なわれないと拘束状態になることを特徴とする食器洗浄機。
【請求項７】
請求項３記載の食器洗浄機において、
食器洗浄機の運転に関する情報を表示する表示手段を有し、
前記残菜フィルタ兼洗剤供給装置の装着されていないときには、表示手段にアラームを含む表示をすることを特徴とする食器洗浄機。
【発明の詳細な説明】
【技術分野】
【０００１】
本発明は、残菜を捕集する残菜フィルタが備わる食器洗浄機に関し、特に残菜フィルタの着脱がし易い食器洗浄機の改良に関する。
【背景技術】
【０００２】
扉を開けずに、残菜フィルタの取り付け、取り外しが容易にできる食器洗浄機は、例えば、特許文献１に記載されている。
【０００３】
【特許文献１】特開平７−２８４４６８号公報
【発明の開示】
【発明が解決しようとする課題】
【０００４】
特許文献１に示す食器洗浄機は、食器洗浄終了後に扉を開けても残菜フィルタの残菜が見えないようにしている。
【０００５】
しかし、残菜フィルタの残滓が見えないと、残菜を捨てたり、残菜フィルタを掃除することをうっかり忘れてしまう恐れがある。
【０００６】
また、食器洗浄機は洗剤供給装置を有する。洗剤供給装置は主として扉の内側に凹型の窪みを設けて扉が開いたときは、ほぼ水平になるのでこの時洗剤を入れて扉を閉じる。洗剤の一部は洗浄槽内にこぼれ、残りは洗浄水が循環してノズルから噴射される洗浄水により洗剤が流し込まれる。流し込まれずに残った洗剤は、洗剤供給装置内で固まり、すすぎまで溶け残る嫌いがある。
【０００７】
本発明は、上記の問題に対処し、残滓の捨て忘れ、残菜フィルタの掃除忘れが生じ難い食器洗浄機を提供することを目的とする。
【０００８】
また、本発明は、併せて洗剤供給装置に洗剤が残らない食器洗浄機を提供することにある。
【課題を解決するための手段】
【０００９】
本発明は、洗浄室の底側から洗浄ポンプに至る吸い込み路を流れる洗浄水より残菜を捕集する残菜フィルタと洗剤供給を兼ねた残菜フィルタ兼洗剤供給装置を備え、残菜フィルタ兼洗剤供給装置のフィルタは、扉を開いた際に見えるところに配置され、かつ残菜フィルタ兼洗剤供給装置は扉の下方の洗浄機本体前面に出し入れ自在に装着されることを特徴とする。
【発明の効果】
【００１０】
本発明によれば、残菜の捨て忘れ、残菜フィルタの掃除忘れが起き難い食器洗浄機を提供することにある。また、洗剤供給装置に洗剤が残らない。
【発明を実施するための最良の形態】
【００１１】
本発明の実施例について、図１〜図７に沿って説明する。
【００１２】
まず、図１、図２、図３、図４に基づいて食器洗浄機の概要から述べる。
【００１３】
食器洗浄機は、洗浄機本体１に洗浄室２が内置される。食器かご３は、洗浄室１内に着脱自在に置かれる。食器かご３は食器を載置する。
【００１４】
洗浄機本体１は、前側に上側の扉４と下側の扉５を有する。上側の扉４は上方に、下側の扉５は下方に動くように開かれる。この扉４、扉５により、洗浄室２の前側が開閉される。
【００１５】
回転ノズル体６は、洗浄室２内の下側に回転自在に備わる。回転ノズル体６は洗浄室２内に洗浄水を噴射して食器かご３に載置されている食器の洗浄を行なう。
【００１６】
また、洗浄室２内の上側にも回転ノズル体７が備わる。食器は、上下の回転ノズル体７，６から噴出する洗浄水により良く洗浄される。
【００１７】
洗浄室２は内側壁に噴霧装置８が設けられる。噴霧装置８は複数の噴霧ノズル９を有する。給水弁１０の下流には、図３に示すように噴霧給水路１１が連通し、噴霧給水路１１には減圧弁１２が備わる。
【００１８】
減圧弁１２は、弁体１３と、圧力調整バネ１４と、圧力逃口１５を有する。噴霧給水路１１に減圧弁１２が備わるので、噴霧装置８に一定圧の給水が供給され、安定した噴霧が提供される。圧力逃口１５から逃げた水は、洗浄室２内に流れ込む。
【００１９】
洗浄運転、濯ぎ運転に先立ち、噴霧装置８より噴霧による給水が行なわれるので、食器の予洗いが行なわれ、食器の洗浄が良く洗われる。
【００２０】
洗浄室２の前側内底には、図３、図４に示すように洗浄水が溜まる貯溜部１６が設けられる。貯溜部１６には、ヒータ１７を備えたヒータケース１８が設けられる。ヒータケース１８の上側にヒータカバ−１９を設けてヒータ１７を覆う。
【００２１】
ヒータ１７は、洗浄水や濯ぎ水の加熱を行なう。また、乾燥工程では乾燥空気の加熱も行なう。
【００２２】
貯溜部１６は、洗浄ポンプ３０に洗浄水を導く導入案内部３１を有する。導入案内部３１は配管３２を介して洗浄ポンプ３０の吸い込み側に連通している。洗浄ポンプ３０の吐出側は、回転ノズル体６，７に連通している。貯溜部１６から洗浄ポンプ３０に至る流路を吸い込み路と言う。
【００２３】
排水ポンプ３３は、洗浄ポンプ３０と一体になっている。図示されていないが、排水ポンプ３３のランナと洗浄ポンプ３０のランナは、ポンプ用電動機の回転軸に支持される。一方の回転（右回転）では排水ポンプとして機能し、他方の回転（左回転）では洗浄ポンプとして機能するようになっている。洗浄ポンプと回転ノズル体の流路６０の間には図示されていないが流路切換のための切換装置が入っており各回転ノズル体に洗浄水を切換えている。
【００２４】
洗浄ポンプ３０の運転により、加圧された洗浄水は回転ノズル体６，７に供給され、回転ノズル体６，７の噴射口から洗浄室２内に噴射される。噴射された噴射水は、食器かご３に載置された食器を洗って洗浄室２内を下り、貯溜部１６に集水して導入案内部３１から洗浄ポンプ３０に戻る。このように洗浄ポンプ３０により、洗浄水は洗浄室２内を再循環し、食器の洗浄が行なわれる。
【００２５】
次に本発明の主要部である残菜フィルタ兼洗剤供給装置について、図５、図６を加えて説明する。
【００２６】
残菜フィルタ兼洗剤供給装置３４は、導入案内部３１の流出口に設けられる。
【００２７】
残菜フィルタ兼洗剤供給装置３４は、図５、図６に示すようにフィルタ部３５、把手部３６、シール部３７を有する。シール部３７には、ロック凹部も設けられる。
【００２８】
フィルタ部３５は、上側のフィルタ３５ａ、下側のフィルタ３５ｂを有する。上側のフィルタ３５ａと下側のフィルタ３５ｂは、上下に重なるようになっている。この二重のフィルタは、上側のフィルタ３５ａが粗目で、下側のフィルタ３５ｂが細目である。
【００２９】
上側のフィルタ３５ａと下側のフィルタ３５ｂは、半円の樋形状をしている。下側のフィルタ３５ｂは、先端側に円形の受壁３５ｃを有する。受壁３５ｃはシール部３７から延在する複数の支持リブ３５ｄに支持される。本実施例の場合は支持リブ３５ｄと下側のフィルタ３５ｂ、軸受台３５ｅ，３５ｆ及び受壁３５ｃは樹脂で一体成形されており、組立ては上側のフィルタ３５ａを装着し、軸受台３５ｅ，３５ｆに設けた溝部６１から支持軸３５ｇを入れるだけなので組立てが簡単にできる。
【００３０】
下側のフィルタ３５ｂは支持リブ３５ｄに張り渡すように設けられている。受壁３５ｃとシール部３７に軸受台３５ｅ,３５ｆを設ける。この軸受台３５ｅ,３５ｆに上側のフィルタ３５ａの支持軸３５ｇを回動自在に支持する。
【００３１】
シール部３７は、シールパッキング３８を有する。シールパッキング３８は、断面が円形をしたゴム製の環状体で、シール部３７の環状溝に嵌め込まれて保持されている。
【００３２】
残菜フィルタ兼洗剤供給装置３４は、図１、図２、図３、図４に示すように、下側の扉５の下方に位置する洗浄機本体１の前面に出し入れ自在に装着される。
【００３３】
扉５の下方に位置する洗浄機本体１の前面には、残菜フィルタ兼洗剤供給装置３４が挿入される開口を設ける。この開口より出し入れされる残菜フィルタ兼洗剤供給装置３４は、フィルタ部３５が導入案内部３１の流出口に位置するように置かれる。
【００３４】
導入案内部３１に取り付けられた残菜フィルタ兼洗剤供給装置３４は、シールパッキング３８により水密が保たれる。
【００３５】
上下の扉４,５を開くと、フィルタ部３５は直接見える位置にあるので、残菜の有無が一目で分かる。このため、残菜フィルタ兼洗剤供給装置３４の残菜の捨て忘れやフィルタ部３５の掃除忘れは少なくなるのである。また、洗浄水がフィルタの位置まであるときもわかるので洗剤を供給するときは排水してから行なうことができる。なお、洗浄水の水位がフィルタより低い位置の場合はそのまま運転を継続しても支障ない。
【００３６】
この残菜フィルタ兼洗剤供給装置３４が装着されるところは、各種操作スイッチボタンや表示装置（表示手段）の表示部５０が並ぶ前面パネル３９である。把手部３６を掴んで残菜フィルタ兼洗剤供給装置３４を着脱する操作は、各種操作スイッチボタンと同様に前面パネル３９のところで行なうことができ、操作がし易い。また、洗浄機本体１の前面より残菜フィルタ兼洗剤供給装置３４を着脱するので、その着脱に際し、上下の扉４,５を開け閉めする煩わしさがなく、使い勝手が良い。
【００３７】
フィルタロック手段について説明する。
【００３８】
図２に示すようにフィルタロック装置５１は、前面パネル３９の裏側位置に設けられる。フィルタロック装置５１は、電磁ソレノイド（図示せず）により出入り作動するプランジャ５２と、プランジャ５２が突き出た状態に付勢する付勢バネ（図示せず）を有する。
【００３９】
プランジャ５２の先端は、残菜フィルタ兼洗剤供給装置３４のシール部３７に設けられたロック凹部５３に係合する。ロック凹部５３にプランジャ５２が係合するので、残菜フィルタ兼洗剤供給装置３４は、装着された状態が拘束される。
【００４０】
プランジャ５２は、電磁ソレノイドに通電されると、付勢バネに抗して引き込まれてプランジャ５２の先端がロック凹部５３から出る。これにより、フィルタロック装置５１による残菜フィルタ兼洗剤供給装置３４の拘束は解かれるので、残菜フィルタ兼洗剤供給装置３４を取り外すことができる。
【００４１】
食器洗浄機の運転中、または貯溜部１６から洗浄ポンプ３０に至る吸い込み路に洗浄水が残るときはフィルタロック装置５１の電磁ソレノイドに通電が行なわれない。
【００４２】
残菜フィルタ兼洗剤供給装置３４は、フィルタロック装置５１に拘束された状態に置かれる。誤って残菜フィルタ兼洗剤供給装置３４が外されることがないので、洗浄水の流出を防ぐことができる。
【００４３】
また、食器洗浄機の電源が切られると、フィルタロック装置５１の拘束が解かれない。停電したときも、誤って残菜フィルタ兼洗剤供給装置３４が外されないので、洗浄水の流出を防ぐことができる。
【００４４】
残菜フィルタ兼洗剤供給装置３４の着脱は、食器洗浄機の運転が終了後、または食器洗浄機の運転を開始する前の待機中に行なう。
【００４５】
水位センサ５４（水位検知手段）は、図３に示すように備えられる。水位センサ５４は、貯溜部１６から洗浄ポンプ３０に至る吸い込み路中に残る水の有無を検知する。この水位センサ５４は、単に水の有無を検知できる機能だけの検知手段でも良い。
【００４６】
フィルタロック装置５１の拘束解除は、水位センサ５４の検知情報も得て行なわれる。貯溜部１６から洗浄ポンプ３０に至る吸い込み路中に水が残るときは、フィルタロック装置５１の拘束が維持され、誤って残菜フィルタ兼洗剤供給装置３４が外されることは防がれる。
【００４７】
フィルタ検知手段について説明する。
【００４８】
図２に示すように、リードスイッチ５５（フィルタ検知手段）が備えられる。リードスイッチ５５（フィルタ検知手段）は、残菜フィルタ兼洗剤供給装置３４が挿入される導入案内部３１の裏面に置かれる。
【００４９】
残菜フィルタ兼洗剤供給装置３４は、受壁３５ｃの外側に磁石（図示せず）を有する。残菜フィルタ兼洗剤供給装置３４が図２に示すように装着されると、リードスイッチ５５（フィルタ検知手段）は磁石に感応して残菜フィルタ兼洗剤供給装置３４の装着を検知する。
【００５０】
食器洗い機の運転は、リードスイッチ５５（フィルタ検知手段）の検知情報も得て行なわれる。残菜フィルタ兼洗剤供給装置３４が未装着のときは、食器洗い機の運転が行なわれないので、洗浄水の流出は防止される。
【００５１】
食器洗浄機の制御回路について、図７を引用して説明する。
【００５２】
ここでは、残菜フィルタ兼洗剤供給装置に関する説明を主にする。
【００５３】
制御回路は、マイコン等で構成される制御手段７０、駆動制御手段７１、電源回路７２を有する。商用電源からの電気は、電源回路７２で直流に変換されて制御手段７０に供給される。
【００５４】
制御手段７０は、入力手段７３（前面パネル３９の各種操作部）、水温センサ７４、水位センサ５４、リードスイッチ５５（フィルタ検知手段）の情報を受けてプログラムに基づき演算処理を行い、駆動制御手段７１を制御する。また、表示手段７５（前面パネル３９の表示部５０を含む）に制御手段７０から提供される表示情報に基づいて表示が行なわれる。
【００５５】
駆動制御手段７１は、制御手段７０の指示に基づいて、フィルタロック装置５１、給水弁１０、ポンプ用電動機７６、ヒータ１７、ファン用電動機７７を駆動制御する。
【００５６】
制御手段７０は、水位センサ５４の水有無情報を見て、水有のときはフィルタロック装置５１の拘束を駆動制御手段７１に指示する。
【００５７】
制御手段７０は、リードスイッチ５５（フィルタ検知手段）の検知情報を見て、残菜フィルタ兼洗剤供給装置３４の未装着のときは、給水を含む食器洗浄機の運転を止めることを駆動制御手段７１に指示する。
【００５８】
表示手段７５は、残菜フィルタ兼洗剤供給装置３４の未装着のときにはアラームを含む表示を行い、食器洗浄機の運転に先立ち、残菜フィルタ兼洗剤供給装置３４を装着することを知らせる。
【００５９】
残菜フィルタ兼洗剤供給装置の動作や掃除等について説明する。
【００６０】
まず、食器洗浄機の洗浄機本体１から残菜フィルタ兼洗剤供給装置３４を外す。フィルタ部３５の上側のフィルタ３５ａを回転させて開く。下側のフィルタ３５ｂの中に食器用洗剤を入れる。下側のフィルタ３５ｂは目が細かいので食器用洗剤は零れ落ちない。
【００６１】
上側のフィルタ３５ａを開かずに、上側のフィルタ３５ａに食器用洗剤を入れることも可能である。上側のフィルタ３５ａは目が粗いので、そこから零れて下側のフィルタ３５ｂ内に溜まる。
【００６２】
その後、残菜フィルタ兼洗剤供給装置３４を洗浄機本体１に装着し、食器洗浄機の運転を行なう。
【００６３】
フィルタ部３５に溜まる食器用洗剤は、フィルタ部３５を通過して流れる洗浄水に溶けてなくなる。フィルタ部３５には回転ノズル６，７から噴射された洗浄水が全て通過し、水位量及び流速が早くなるので、洗剤が容易に溶け易いので洗剤残りが無い。
【００６４】
残菜フィルタ兼洗剤供給装置３４のフィルタ部３５には、洗浄水が食器洗浄機の運転中、常に環流するので、洗浄水に含まれる残菜はフィルタ部３５に捕集される。大きい残菜は、目の粗い上側のフィルタ３５ａに捕集され、細かな残菜は目の細かい下側のフィルタ３５ｂに捕集される。
【００６５】
この大きい残菜と、細かな残菜が分けて捕集されるので、フィルタ部３５の目詰まりが生じ難く、細かい残菜を多く捕集できるので濯ぎ回数を節約することができる。
【００６６】
フィルタ部３５に溜まった残菜は、逆さにすることにより排出される。上側のフィルタ３５ａは、フィルタ部３５を逆さにすることにより、下側のフィルタ３５ｂも自然に開かれる、残菜が捨てられる。フィルタ部３５の掃除をして残菜フィルタ兼洗剤供給装置３４は、洗浄機本体１に装着される。
【００６７】
フィルタ部３５は、食器洗浄機の運転中、常に洗浄水が流通するので、食器用洗剤が残って固まりなることがなく、食器用洗剤が無駄なく洗浄に利用されるのである。
【図面の簡単な説明】
【００６８】
【図１】本発明の実施例に係わるもので、食器洗浄機の外観斜視図。
【図２】本発明の実施例に係わるもので、食器洗浄機を側面から見た縦断面図。
【図３】本発明の実施例に係わるもので、食器洗浄機を正面から見た縦断面図。
【図４】本発明の実施例に係わるもので、扉を開いて食器洗浄機の内部を覗いた斜視図。
【図５】本発明の実施例に係わるもので、残菜フィルタ兼洗剤供給装置の側面図。
【図６】本発明の実施例に係わるもので、残菜フィルタ兼洗剤供給装置の断面図。
【図７】本発明の実施例に係わるもので、食器洗浄機の回路図。
【符号の説明】
【００６９】
１…洗浄機本体、２…洗浄室、３…食器かご、６…回転ノズル体、３０…洗浄ポンプ、１７…ヒータ、４，５…扉、３４…残菜フィルタ兼洗剤供給装置。
【図１】
2007143574.tif 000003
【図２】
2007143574.tif 000004
【図３】
2007143574.tif 000005
【図４】
2007143574.tif 000006
【図５】
2007143574.tif 000007
【図６】
2007143574.tif 000008
【図７】
2007143574.tif 000009